【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと、
前記第１のデバイスが、前記第１のフレームに基づいて、第２のデバイスと通信していることになる持続時間を決定することと、
前記決定が、前記持続時間が満了したために、前記第１のデバイスが前記第２のデバイスと通信していないことを示す場合、第２の構成に前記アンテナを再構成することと、
第３のフレームを生成することと
を行うように構成された処理システムと、
前記アンテナが前記第１の構成に構成されている間、前記アンテナを介した第３のデバイスへの送信のために前記第２のフレームを出力することと、
前記アンテナが前記第２の構成に構成されている間、前記アンテナを介した前記第３のデバイスへの送信のために前記第３のフレームを出力することと
を行うように構成されたインタフェースと
を備える、装置。
【請求項２】
前記第１の構成は、前記第１のデバイスに実質的に向けられた空白を有するアンテナ輻射パターンを生成するように構成された前記アンテナを備える、請求項１に記載の装置。
【請求項３】
前記第１の構成は、前記第３のデバイスに実質的に向けられたプライマリローブおよび前記第１のデバイスに実質的に向けられた空白を有するアンテナ輻射パターンを生成するように構成された前記アンテナを備える、請求項１に記載の装置。
【請求項４】
前記第２の構成は、前記第１のデバイスに向けられた空白なしのアンテナ輻射パターンを生成するように構成された前記アンテナを備える、請求項１に記載の装置。
【請求項５】
前記持続時間は、前記第１のデバイスから前記第２のデバイスへ送信される１つまたは複数のデータフレームの推定持続時間を含む、請求項１に記載の装置。
【請求項６】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第２のフレームを送信するように構成される、請求項１に記載の装置。
【請求項７】
前記第２のフレームは、送信要求（ＲＴＳ）フレームを備える、請求項１に記載の装置。
【請求項８】
前記第２のフレームは、送信要求（ＲＴＳ）部分および第２のビームトレーニングシーケンスを含むフレームを備える、請求項１に記載の装置。
【請求項９】
前記第２のフレームは、少なくとも１つのデータフレームを備える、請求項１に記載の装置。
【請求項１０】
前記第２のフレームは、送信可（ＣＴＳ）フレームを備える、請求項１に記載の装置。
【請求項１１】
前記第２のフレームは、送信可（ＣＴＳ）部分および第２のビームトレーニングシーケンスを含むフレームを備える、請求項１に記載の装置。
【請求項１２】
前記第２のフレームは、少なくとも１つの肯定応答（ＡＣＫ）フレームを備える、請求項１に記載の装置。
【請求項１３】
前記処理システムは、前記アンテナのための少なくとも前記第１の構成と、前記少なくとも第１の構成が有効である関連の持続時間とを含むテーブルを生成するように構成される、請求項１に記載の装置。
【請求項１４】
前記処理システムは、前記第１のトレーニングシーケンスに基づいて、前記第１のフレームの到来角の推定値を生成するようにさらに構成され、前記第１の構成は、前記推定された到来角にさらに基づく、請求項１に記載の装置。
【請求項１５】
前記処理システムは、前記第２のフレームの前記送信に起因した前記第１のデバイスにおける推定された干渉が、しきい値にあるかまたはそれよりも下回るように、前記第１の構成に前記アンテナを構成するようにさらに構成される、請求項１に記載の装置。
【請求項１６】
前記第１のフレームが受信される前記アンテナと、
前記アンテナを介して前記第２および第３のフレームを送信するように構成された送信機と、ここにおいて、前記装置は、ワイヤレスノードとして構成される、
をさらに備える、請求項１に記載の装置。
【請求項１７】
前記第１のフレームは、送信要求（ＲＴＳ）部分を備え、前記処理システムは、前記第１のフレームの前記ＲＴＳ部分に基づいて前記持続時間を決定するように構成される、請求項１に記載の装置。
【請求項１８】
前記第１のフレームは、送信可（ＣＴＳ）部分を備え、前記処理システムは、前記第１のフレームの前記ＣＴＳ部分に基づいて前記持続時間を決定するように構成される、請求項１に記載の装置。
【請求項１９】
ワイヤレス通信のための装置であって、
第１のデバイスから第１のビームトレーニングシーケンスを備える第１のフレームを受信することと、
第２のデバイスから送信可（ＣＴＳ）部分および第２のビームトレーニングシーケンスを備える第２のフレームを受信することと、
前記第１のビームトレーニングシーケンスと前記第２のビームトレーニングシーケンスとに基づいて、第１の構成にアンテナを構成することと、
第３のフレームを生成することと
を行うように構成された処理システムと、
前記アンテナが前記第１の構成に構成されている間、前記アンテナを介した第３のデバイスへの送信のために前記第３のフレームを出力するように構成されたインタフェースと
を備える、装置。
【請求項２０】
前記第１の構成は、前記第１のデバイスに実質的に向けられた第１の空白および前記第２のデバイスに実質的に向けられた第２の空白を有するアンテナ輻射パターンを生成するように構成された前記アンテナを備える、請求項１９に記載の装置。
【請求項２１】
前記第１の構成は、前記第１のデバイスに実質的に向けられた第１の空白、前記第３のデバイスに実質的に向けられたプライマリローブ、および前記第２のデバイスに実質的に向けられた第２の空白を有するアンテナ輻射パターンを生成するように構成された前記アンテナを備える、請求項１９に記載の装置。
【請求項２２】
前記第１のフレームは、送信要求（ＲＴＳ）部分を備え、前記処理システムは、
前記第１のデバイスが、前記第１のフレームの前記ＲＴＳ部分または前記第２のフレームの前記ＣＴＳ部分のうちの少なくとも１つに基づいて、前記第２のデバイスと通信していることになる持続時間を決定することと、
前記決定が、前記持続時間が満了したために、前記第１のデバイスが前記第２のデバイスと通信していないことを示す場合、第２の構成に前記アンテナを再構成することと、
第４のフレームを生成することと
を行うように構成され、
前記インタフェースは、前記アンテナが前記第２の構成に構成されている間、前記アンテナを介した前記第３のデバイスへの送信のために前記第４のフレームを出力するように構成される、請求項１９に記載の装置。
【請求項２３】
前記第２の構成は、それぞれ、前記第１のデバイスにおよび前記第２のデバイスに向けられた空白なしのアンテナ輻射パターンを生成するように構成された前記アンテナを備える、請求項２２に記載の装置。
【請求項２４】
前記第１および第２のフレームが受信される前記アンテナと、
前記アンテナを介して前記第３のフレームを送信するように構成された送信機と、ここにおいて、前記装置は、ワイヤレスノードとして構成される、
をさらに備える、請求項１９に記載の装置。
【請求項２５】
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定することと、ここにおいて、前記第１の構成は、前記推定された１つまたは複数のアンテナ利得および前記推定された１つまたは複数のアンテナ相互差異にさらに基づく、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
【請求項２６】
前記第１のフレームが受信される前記アンテナと、
前記アンテナを介して前記第２のフレームを送信するように構成された送信機と、ここにおいて、前記装置は、ワイヤレスノードとして構成される、
をさらに備える、請求項２５に記載の装置。